(57)【要約】【課題】検索したネットワークDVDドライブ装置がどこに設置されているのか簡単にわかるようにする。【解決手段】クライアント装置１とネットワークDVDドライブ装置３とがLAN２で接続された分散処理システムのクライアント装置１に、LAN２に接続しているネットワークDVDドライブ装置３を検索する手段がある。そこに、検索したネットワークDVDドライブ装置３にダミーデータを送信するダミーデータ送信手段４を設ける。ネットワークDVDドライブ装置３に、LAN２から受信したデータがダミーデータか通常データかを判別する判別手段７と、ダミーデータの受信に応答してランプ９を点灯する点灯手段８とを設ける。ダミーデータでなければ通常処理を行う。【選択図】図１
2006252022.tif 000002
【特許請求の範囲】
【請求項１】
クライアント装置とネットワークＤＶＤドライブ装置とがＬＡＮで接続された分散処理システムであって、前記クライアント装置に、前記ＬＡＮに接続しているネットワークＤＶＤドライブを検索する手段と、検索したネットワークＤＶＤドライブにダミーデータを送信する手段とを備え、前記ネットワークＤＶＤドライブ装置に、前記ＬＡＮから受信したデータがダミーデータか通常データかを判別する手段と、ダミーデータの受信に応答してランプを点灯する手段とを備えたことを特徴とする分散処理システム。
【請求項２】
ＬＡＮを介してネットワークＤＶＤドライブに接続可能なクライアント装置であって、前記ネットワークＤＶＤドライブを検索する手段と、検索したネットワークＤＶＤドライブにダミーデータを送信する手段とを具備することを特徴とするクライアント装置。
【請求項３】
ＬＡＮに接続可能な受信手段と、受信したデータがダミーデータか否かを判別する手段と、ダミーデータの受信に応答してランプを点灯する手段とを具備することを特徴とするネットワークＤＶＤドライブ装置。
【発明の詳細な説明】
【技術分野】
【０００１】
本発明は、ネットワークDVDドライブ装置に関し、特に、装置の所在を簡単に発見できるネットワークDVDドライブ装置に関する。
【背景技術】
【０００２】
クライアント装置とサーバー装置をLANで接続した分散処理システムが普及している。分散処理システムでは、印刷処理などの場合、プリントサーバーを検索して、印刷目的にあった印刷装置で印刷することが行われている。その他のサーバー装置でも、同様に、目的の装置を検索して、所望の処理を実行するようになっている。分散処理システムにおける印刷処理の従来例を以下にあげる。
【０００３】
特許文献１に開示された「ネットワーク印刷システム」は、同一フロア（グループ）のプリンタを検索し、自動的に画情報を出力するネットワーク印刷システムである。直接印刷がパネル操作部で選択され、スキャナに原稿がセットされると、スキャナ処理部は、画像読み取り部を制御し、画情報を読み取る。画情報は、画像データバッファに格納される。画情報処理部は、読み取り条件に沿った画像ファイルフォーマットへの変換、画情報の圧縮処理を行う。ネットワークインタフェース部は、各種情報の授受を行うためのプロトコル制御を行い、さらにスキャナ通信制御部とやり取りを行い、スキャナの状態の通知や画情報の送信を行う。出力機器検索部は、設置場所登録部の設置場所登録データを参照して、ネットワーク上のプリンタの設置場所情報を調べ、自分と同じ設置場所が登録されているプリンタを見つける。
【特許文献１】特開2000-059560号公報
【発明の開示】
【発明が解決しようとする課題】
【０００４】
しかし、従来の装置では、ネットワークプリンタやネットワークDVDドライブを検索できても、それがどこに設置されているのかわからなかった。特に、複数台がまとまって互いの近くに置いてある場合などは、装置の所在を特定することが困難であった。
【０００５】
本発明の目的は、上記従来の問題を解決して、検索したネットワークDVDドライブがどこに設置されているのか簡単にわかるようにすることである。
【課題を解決するための手段】
【０００６】
上記の課題を解決するために、本発明では、クライアント装置とネットワークDVDドライブ装置とがLANで接続された分散処理システムのクライアント装置に、LANに接続しているネットワークDVDドライブを検索する手段と、検索したネットワークDVDドライブにダミーデータを送信する手段とを備え、ネットワークDVDドライブ装置に、LANから受信したデータがダミーデータか通常データかを判別する手段と、ダミーデータの受信に応答してランプを点灯する手段とを備えた構成とした。
【０００７】
すなわち、クライアント装置に、クライアント側ソフトウェアからネットワークDVDドライブに、装置を特定するためのコマンドを送信する手段を設ける。また、ネットワークDVDドライブ装置に、クライアント側ソフトウェアから受信した装置特定コマンドを解析して表示する手段を設ける。
【発明の効果】
【０００８】
上記のように構成したことにより、検索したネットワークDVDドライブがどこに設置されているのか、簡単に知ることができる。
【発明を実施するための最良の形態】
【０００９】
以下、本発明を実施するための最良の形態について、図１と図２を参照しながら詳細に説明する。
【実施例】
【００１０】
本発明の実施例は、LANから受信したデータがダミーデータか否かを判別し、ダミーデータの受信に応答してランプを点灯するネットワークDVDドライブ装置である。
【００１１】
図１は、本発明の実施例におけるネットワークDVDドライブ装置を備えた分散処理システムの概念図である。図１において、クライアント装置１は、LANに接続されたパソコンなどの処理装置である。LAN２は、ローカルエリアネットワークを構成する通信経路である。ネットワークDVDドライブ装置３は、LANに接続されたDVDドライブ装置である。DVD以外の記録媒体を読み書きできる機能を備えていてもよい。この種の装置を総称してDVDドライブ装置と呼ぶことにする。ダミーデータ送信手段４は、検索したネットワークDVDドライブ装置に、LANを介してダミーデータを送信する手段である。検索手段５は、LANに接続されたネットワークDVDドライブ装置を検索する手段である。受信手段６は、LANを介してダミーデータなどを受信する手段である。判別手段７は、LANから受信したデータがダミーデータか通常データかを判別する手段である。点灯手段８は、ダミーデータの受信に応答して、ランプを所定の態様で点灯する手段である。ランプ９は、LEDなどの表示手段である。ランプは、専用のランプでもよいし、動作状態を表示するランプと兼用してもよい。
【００１２】
図２は、本発明の実施例におけるネットワークDVDドライブ装置を備えた分散処理システムの動作手順を示す流れ図である。
【００１３】
上記のように構成された本発明の実施例におけるネットワークDVDドライブ装置を備えた分散処理システムの動作を説明する。最初に、図１を参照しながら、機能の概略を説明する。LANに接続しているネットワークDVDドライブを検索するソフトウェアには、検索したネットワークDVDドライブにダミーデータを送信する機能がある。ダミーデータは、装置のランプを点灯させるコマンドの意味がある。ネットワークDVDドライブには、受信したデータがダミーデータか通常データか判別する機能がある。ダミーデータであると判別したときに、ランプを点灯する機能がある。
【００１４】
次に、図２を参照しながら、ネットワークDVDドライブ装置を備えた分散処理システムの動作手順を説明する。ステップ１において、オペレータが、クライアント端末からネットワークDVDドライブ検索ソフトウェアで、ネットワークDVDドライブを検索する。オフィスにネットワークDVDドライブが複数台ある場合は、検索したネットワークDVDドライブが、オフィスのどのネットワークDVDドライブにあたるのか不明なため、ステップ２において、オペレータは、検索したネットワークDVDドライブのどれか１つを選択し、選択したネットワークDVDドライブのアイコンをクリックする。または、場所特定などのボタンをクリックする。ステップ３において、検索ソフトウェアは、選択したネットワークDVDドライブに対して、ダミーデータを送信する。
【００１５】
ステップ４において、ネットワークDVDドライブがデータを受信すると、ステップ５において、ダミーデータか通常のデータかを、ソフトウェアやハードウェアによる判断手段によって判断する。ネットワークDVDドライブが、ダミーデータだと判断すると、ステップ６において、ネットワークDVDドライブは、LEDなどの表示手段を点灯や点滅させ、オペレータに場所を通知する。ランプの点灯態様は、所在を示すための特定の点灯態様とする。特に、動作状態表示用のランプと兼用する場合は、他の表示態様と明確に区別できるように表示する。オペレータは、検索したネットワークDVDドライブがどこに設置してあるのか、瞬時にわかる。ダミーデータではないと判断すると、ステップ７において、ネットワークDVDドライブは、通常処理を行う。
【００１６】
上記のように、本発明の実施例では、ネットワークDVDドライブ装置を、LANから受信したデータがダミーデータか否かを判別し、ダミーデータの受信に応答してランプを点灯する構成としたので、検索したネットワークDVDドライブがどこに設置されているのか、簡単に知ることができる。
【産業上の利用可能性】
【００１７】
本発明のネットワークDVDドライブ装置は、クライアント装置とネットワークDVDドライブ装置とがLANで接続された分散処理システムにおいて、所在を簡単に発見できるネットワークDVDドライブ装置として最適である。また、同様の技術を、ネットワークプリンタなどの他のネットワーク装置に適用することもできる。
【図面の簡単な説明】
【００１８】
【図１】本発明の実施例におけるネットワークDVDドライブ装置を備えた分散処理システムの概念図である。
【図２】本発明の実施例におけるネットワークDVDドライブ装置を備えた分散処理システムの動作手順を示す流れ図である。
【符号の説明】
【００１９】
１・・・クライアント装置、２・・・LAN、３・・・ネットワークDVDドライブ装置、４・・・ダミーデータ送信手段、５・・・検索手段、６・・・受信手段、７・・・判別手段、８・・・点灯手段、９・・・ランプ。
【図１】
2006252022.tif 000003
【図２】
2006252022.tif 000004